(57)【特許請求の範囲】
【請求項１】
内部に電気部品を収容した本体部と、前記本体部に回転自在に設けられた円板状の操作部と、前記操作部および前記本体部に掛止され、操作部の停止位置からの回転に伴い弾性変形して該操作部を停止位置に向け付勢するねじりバネとを備えたハンドルユニットが設けられ、前記操作部の回転に応じた前記電気部品からの信号により遊技球の発射操作を行なう遊技機において、
前記操作部は、その回転中心から回転軸線方向へ立設された支持部を備え、
前記ねじりバネは、円形のコイル部が前記支持部に遊嵌状態で支持され、該コイル部における該支持部の挿通方向で一方の円形端部から延出した第１アーム部が前記本体部に掛止されると共に、該コイル部における他方の円形端部から延出した第２アーム部が前記支持部に掛止され、
前記支持部には、前記操作部の回転操作時に弾性変形する前記コイル部との接触を回避する接触回避部が設けられている
ことを特徴とする遊技機。
【請求項２】
前記ねじりバネのコイル部は、前記操作部の回転操作に伴って前記一方の円形端部側に対し他方の円形端部側が変位することで、該一方の円形端部側と該他方の円形端部とが前記支持部の挿通方向と交差する方向へずれるように変形し、
前記接触回避部は、前記操作部の回転操作に伴って回転する前記支持部における前記一方の円形端部のずれ領域と重なる部分と、回転する該支持部における前記他方の円形端部のずれ領域と重なる部分とに設けられている請求項１記載の遊技機。
【請求項３】
前記第１アーム部は、前記コイル部の接線方向へ延出するように形成され、前記第２アーム部は、前記コイル部の径方向内方へ折曲げて形成されている請求項１または２記載の遊技機。
【請求項４】
前記操作部の前記コイル部に外側から隣接する部位に、前記操作部の非回転操作時において、コイル部の第１アーム部と当接する当接部が設けられている請求項１〜３の何れか一項に記載の遊技機。
【発明の詳細な説明】
【技術分野】
【０００１】
この発明は、ハンドルユニットを備えた遊技機に関するものである。
【背景技術】
【０００２】
例えば、遊技機の代表例の一つであるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護するガラス板を備えた装飾枠としての前枠とを基本的に備えている。また、パチンコ機の正面には、遊技球を貯留する上球皿および下球皿が開閉自在に配設されると共に、該パチンコ機の正面右下部(下球皿の右側)に、遊技者が遊技球の発射操作を行なうためのハンドルユニットが配設されている。
【０００３】
前記ハンドルユニットを備えたパチンコ機では、遊技者が操作部を回転操作することで前記中枠に設けられた打球発射装置が作動して、遊技球が遊技領域に打ち出されるよう構成されている。またハンドルユニットは、操作部の回転操作量に応じて遊技球の発射強さが変化するようになっている。そして、遊技球が遊技盤の遊技領域に設けた所定の入賞口に入賞すると、遊技盤に設けられた図柄表示装置で図柄変動演出が実行されると共に、所定数の賞球が上球皿または下球皿に払い出される。
【０００４】
ここで、従来のハンドルユニットは、特許文献１に示すように、電気部品を内蔵した本体部と、該本体部の前側に回転自在に設けられた操作部とを基本構成部品として、本体部の後部から電気部品の配線を引き出すよう構成されたものが一般的である。そして、本体部から引き出した配線を中枠に設けた通孔部に前側から挿通させ、本体部を中枠に対しネジ止めすることで、ハンドルユニットが固定されるようになっている。
【０００５】
そして、従来のハンドルユニットでは、前記操作部と前記本体部とに掛止されるねじりバネが配設されており、操作部を回転させるとこれに伴い該ねじりバネが弾性変形して復帰弾力が発現し、該操作部を停止位置へ付勢するよう構成されている。前記ねじりバネは、円形状に巻回して形成されたコイル部と、このコイル部の一端から延出した第１アーム部および他端から延出した第２アーム部とを備え、前記コイル部に前記操作部の回転中心に立設した支持部を挿通させ、第１アーム部を該操作部に掛止させると共に第２アーム部を前記本体部に掛止した状態で配設されている。
【先行技術文献】
【特許文献】
【０００６】
【特許文献１】特開２００５−３２８９６７号公報
【発明の概要】
【発明が解決しようとする課題】
【０００７】
ところで前記ねじりバネは、操作部の回転に伴う弾性変形時に、該ねじりバネの前記コイル部が縮径的に変形すると共に径方向へ変位する特性がある。ところが、従来のハンドルユニットでは、前記コイル部の径方向への変位を考慮しておらず、操作部を回転させる途中でコイル部が支持部に接触する場合があった。このため、操作部を回転させるに際して、前記コイル部が支持部に接触する前と接触した後において該操作部の操作感が変化し、特に接触した後においては操作部の回転が渋くなって操作性が低下する問題があった。
【０００８】
すなわち、本発明は、従来技術に係る遊技機に内在する前記問題に鑑み、これらを好適に解決するべく提案されたものであって、ハンドルユニットの操作部の操作性を向上させるようにすることを目的とする。
【０００９】
前記課題を解決するために、本願の請求項１に記載の発明は、内部に電気部品を収容した本体部(62)と、前記本体部(62)に回転自在に設けられた円板状の操作部(64)と、前記操作部(64)および前記本体部(62)に掛止され、操作部(64)の停止位置からの回転に伴い弾性変形して該操作部(64)を停止位置に向け付勢するねじりバネ(115)とを備えたハンドルユニット(G)が設けられ、前記操作部(64)の回転に応じた前記電気部品からの信号により遊技球の発射操作を行なう遊技機において、
前記操作部(64)は、その回転中心から回転軸線方向へ立設された支持部(110)を備え、
前記ねじりバネ(115)は、円形のコイル部(116)が前記支持部(110)に遊嵌状態で支持され、該コイル部(116)における該支持部(110)の挿通方向で一方の円形端部(116A)から延出した第１アーム部(117)が前記本体部(62)に掛止されると共に、該コイル部(116)における他方の円形端部(116B)から延出した第２アーム部(118)が前記支持部(110)に掛止され、
前記支持部(110)には、前記操作部(64)の回転操作時に弾性変形する前記コイル部(116)との接触を回避する接触回避部(120,121)が設けられていることを要旨とする。
【００１０】
従って、請求項１に係る発明によれば、遊技球の発射操作を行なうに際してハンドルユニットの操作部を回転させると、ねじりバネのコイル部と支持部とか接触回避部により接触しないから、該操作部が常にスムーズに回転するようになって操作性を向上させることができる。
【００１１】
請求項２に記載の発明では、前記ねじりバネ(115)のコイル部(116)は、前記操作部(64)の回転操作に伴って前記一方の円形端部(116A)側に対し他方の円形端部(116B)側が変位することで、該一方の円形端部(116A)側と該他方の円形端部(116B)とが前記支持部(110)の挿通方向と交差する方向へずれるように変形し、
前記接触回避部(120,121)は、前記操作部(64)の回転操作に伴って回転する前記支持部(110)における前記一方の円形端部(116A)のずれ領域と重なる部分と、回転する該支持部(110)における前記他方の円形端部(116B)のずれ領域と重なる部分とに設けられていることを要旨とする。
従って、請求項２に係る発明によれば、ねじりバネのコイル部における第１の円形端部および第２の円形端部が、操作部の回転操作に伴って支持部側へ変形しても、支持部に設けた接触回避部により該支持部に接触することが回避され、操作部のスムーズな操作感が損なわれることがない。
【００１２】
請求項３に記載の発明では、前記第１アーム部(117)は、前記コイル部(116)の接線方向へ延出するように形成され、前記第２アーム部(118)は、前記コイル部(116)の径方向内方へ折曲げて形成されていることを要旨とする。
従って、請求項３に係る発明によれば、操作部を回転させると、コイル部の第１アーム部が形成された一端側は該コイル部に接線方向へ引っ張られるから、該コイル部の径方向への変位量を抑えることが可能である。また、コイル部の第２アーム部が形成された他端側は、支持部に適切に掛止される。
【００１３】
請求項４に記載の発明では、前記操作部(64)の前記コイル部(116)に外側から隣接する部位に、前記操作部(64)の非回転操作時において、コイル部(116)の第１アーム部(117)と当接する当接部(123)が設けられていることを要旨とする。
従って、請求項４に係る発明によれば、操作部の非回転操作時には、当接部と第１アーム部とが当接するから、コイル部を適切な位置に保持することができる。
【発明の効果】
【００１４】
本願発明に係る遊技機によれば、ハンドルユニットの操作部の操作性を向上させることができる。
【図面の簡単な説明】
【００１５】
【図１】実施例のパチンコ機の正面図である。
【図２】実施例のパチンコ機を、中枠から前枠を開放すると共に遊技盤の遊技領域内を省略した状態で示す斜視図である。
【図３】前枠に設けられた上球皿、下球皿およびハンドル取付部を示す斜視図である。
【図４】回転操作部材が停止位置におけるハンドルユニットを、キャップ体を外した状態で右前上方から見た斜視図である。
【図５】実施例のハンドルユニットを、左後上方から見た斜視図である。
【図６】ハンドルユニットを前側から見た分解斜視図である。
【図７】ハンドルユニットを後側から見た分解斜視図である。
【図８】図５のVIII−VIII線断面図である。
【図９】回転操作部材が停止位置に停止した状態のハンドルユニットを、キャップ体を外した状態で示す正面図である。
【図１０】回転操作部材が最大回転位置に回転した状態のハンドルユニットを、キャップ体を外した状態で示す正面図である。
【図１１】回転操作部材が最大回転位置に回転した状態のハンドルユニットを、キャップ体を外した状態で右前上方から見た斜視図である。
【図１２】(ａ)は、回転操作部材が停止位置にある場合のねじりバネの状態を示す説明図であり、(ｂ)は、回転操作部材が最大回転位置に回転変位した場合にねじりバネが弾性変形する状態を示す説明図である。
【図１３】変更例のねじりバネを、ハンドルユニットに取り付けた状態で示す正面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機Ｐを例に挙げて説明する。また、以下の説明において、「前」、「後」、「左」、「右」とは、図１に示すようにパチンコ機Ｐを前側(遊技者側)から見た状態で指称する。
【実施例】
【００１７】
(パチンコ機の概略構成について)
実施例に係るパチンコ機Ｐは、図１および図２に示すように、遊技店に設けられた「島」とも称される設置枠台(図示せず)に固定される固定枠としての外枠Ａと、該外枠Ａに対して着脱および開閉可能に枢支された本体枠としての中枠Ｂと、該中枠Ｂに着脱交換可能に取り付けられて所要の遊技領域２０が画成された遊技盤Ｄと、中枠Ｂの前面側に着脱および開閉可能に枢支され、該中枠Ｂに配設した遊技盤Ｄを透視保護する透明板３５が配設される前枠Ｃとを備えている。前枠Ｃには、パチンコ球(遊技球)を貯留可能な上球皿Ｅが前記透明板の配設部位の下方前側に組み付けられ、パチンコ球を貯留可能な下球皿Ｆが前記上球皿Ｅの下方に組み付けられている。また、前枠Ｃにおける前側右下部には、中枠Ｂに配設した打球発射装置Ｊ(図２参照)を作動させるハンドルユニットＧが組み付けられており、該ハンドルユニットＧを操作すると上球皿Ｅに貯留されたパチンコ球を遊技盤Ｄの遊技領域２０に向けて打ち出すよう構成されている。
【００１８】
（中枠）
前記中枠Ｂは、図２に示すように、上縁をなす上枠部材１０と、下縁をなして、スピーカ１６や前記打球発射装置Ｊ等が設置された下枠部材１１と、左側縁をなす左枠部材１２と、右側縁をなす右枠部材１３とから構成され、全体が外枠Ａの開口に整合する矩形枠状に形成される。中枠Ｂには、遊技盤Ｄを前側から着脱可能に設置し得る遊技盤保持部１４が設けられている。そして中枠Ｂは、外枠Ａの左上端部および左下に設けられた第１ヒンジ機構１５,１５を介して該外枠Ａに枢支され、中枠Ｂは外枠Ａに対して左側端部を中心として開閉し得るようになっている。なお中枠Ｂは、前記上下左右の枠部材１０,１１,１２,１３が一体成形されたものであってもよい。
【００１９】
(遊技盤について)
前記遊技盤Ｄは、図１および図２に示すように、略円形状に湾曲する外レール２１および内レール２２が盤面(前面)に配設されて、該内外レール２１,２２の内側に画成される遊技領域２０内に、図柄表示装置Ｈ、始動入賞装置２３および特別入賞装置２４、回転案内具２５等の各種遊技用部品(図２では図示省略)が配置されている。また、前記外レール２１および内レール２２は、パチンコ球が通過可能な距離だけ離間するよう構成されて、打球発射装置Ｊから発射されたパチンコ球が通過する発射通路２６を画成している。ここで、前記発射通路２６は、遊技盤Ｄの下端左寄り位置で下方に開口すると共に、遊技盤Ｄの左上部位置で遊技領域２０内に開口しており、打球発射装置Ｊから発射されて発射通路２６を通過したパチンコ球が遊技領域２０の上部位置に打ち出されるようになっている。そして、遊技領域２０に打ち出されたパチンコ球が、始動入賞装置２３、特別入賞装置２４およびその他の入賞口に入賞することで、所定数の賞球が払い出されるようになっている。
【００２０】
(打球発射装置について)
前記打球発射装置Ｊは、図２に示すように、駆動手段としてのロータリーソレノイド３２により往復回動してパチンコ球を打ち出す打球杆３０と、右から左に向けて上方傾斜する発射レール３１とを備え、前記ハンドルユニットＧの回転操作部材(操作部)６４が回転操作されると、打球杆３０が作動してパチンコ球を発射レール３１に沿って打ち出すよう構成される。なお、前記中枠Ｂにおける下枠部材１１の後側には、ハンドルユニットＧの操作に基づいて打球発射装置Ｊを駆動制御する発射制御装置(図示せず)が配設されており、該発射制御装置から出力される制御信号に基づいて前記打球杆３０が作動制御される。発射制御装置には、ハンドルユニットＧに配設された後述の可変抵抗器８０、スイッチユニット８５およびタッチセンサユニット９０からの各々の信号が入力され、これら信号に基づいて打球発射装置Ｊに対して前記制御信号を出力する。
【００２１】
（前枠）
前記前枠Ｃは、図１および図２に示すように、前記中枠Ｂの外郭形状に略合致する矩形板状に形成されると共に前後方向に開口する開口部３３Ａが開設された前枠基体部３３を基本とし、該前枠基体部３３の前面には各種の装飾部材３４が配設されて構成される。前枠基体部３３は、アルミ等の剛性を有する金属部材で構成されており、前記開口部３３Ａに臨むように透明板３５が組み付けられている。そして前枠Ｃは、中枠Ｂの左側部に配置された第２ヒンジ機構３６,３６(図２参照)を介して該中枠Ｂに対して開閉自在に枢支されると共に、中枠Ｂに閉成した際に遊技盤保持部１４に設置した遊技盤Ｄの遊技領域２０を開口部３３Ａを介して前面側から視認し得るよう構成される。
【００２２】
(上球皿および下球皿について)
前記前枠Ｃの前記開口部３３Ａの下側に組み付けられた前記上球皿Ｅは、図１および図３に示すように、前記前枠基体部３３の下部前面に取り付けられる球皿本体４０と、該球皿本体４０に取り付けられる球貯留部４１と、該球皿本体４０の前側に配設される装飾カバー部材４２等から構成されている。球皿本体４０は、前方へ円弧状に突出すると共に上方に開放され、上部開口の前部には、球貸し時に操作される球貸ボタン４３Ａや遊技演出時に操作される操作ボタン４３Ｂ等を備えた操作盤４３が配設されている。前記前枠Ｃにおける上球皿Ｅの下側に組み付けられた前記下球皿Ｆは、図１および図３に示すように、前記前枠基体部３３の下部前面に取り付けられる球皿本体４５と、該球皿本体４５に取り付けられる球貯留部４６と、該球皿本体４５の前側に配設される装飾カバー部材４７等から構成されている。球貯留部４６は、前方へ円弧状に突出すると共に上方に開放され、底部にはシャッター４９を備えた球抜き開口４８が形成されている。
【００２３】
下球皿Ｆの装飾カバー部材４７における右部には、図３に示すように、ハンドルユニットＧを取り付けるハンドル取付部５０が設けられている。このハンドル取付部５０は、水平前方に対しやや右方へ傾いて前方に開口した円筒状の外筒部５１と、この外筒部５１の後側に形成された後壁部５２とを備えており、ハンドルユニットＧの支持筒体(本体部)６２が該外筒部５１に対して前側から嵌挿されるようになっている。外筒部５１には、ハンドルユニットＧを固定するネジ用のネジ挿通孔５３が形成されていると共に、後壁部５２には、ハンドルユニットＧに設けた後述の係止爪部７３が突入係止する係止孔５４と、該ハンドルユニットＧの後側から延出した配線ＷＨを挿通する配線挿通口(図示せず)が形成されている。
【００２４】
(ハンドルユニットについて)
前記ハンドルユニットＧは、図１、図２、図４および図５に示すように、前記ハンドル取付部５０の外筒部５１に固定される円筒状の取付部６０と、該取付部６０の前側に設けられて遊技者が把持する球形状の把持部６１とから構成されている。このハンドルユニットＧは、把持部６１の後側部分および取付部６０を形成する本体部としての支持筒体６２と、該支持筒体６２の前側に取り付けられて把持部６１の前側部分を形成するキャップ体６３と、支持筒体６２およびキャップ体６３の間に回転可能に支持された操作部としての回転操作部材６４とを互いに組み付けたユニット部材である。そしてハンドルユニットＧは、取付部６０の後部を、ハンドル取付部５０の外筒部５１に前側から嵌挿して固定することにより、図１に示すように、水平前方に対しやや右方へ傾いた姿勢で下球皿Ｆの前枠Ｃを構成する装飾カバー部材４７に取り付けられ、遊技者が自然な姿勢で右手により把持操作できるよう考慮されている。
【００２５】
(支持筒体)
前記支持筒体６２は、図４、図５および図８に示すように、後方に開口するストレートな円筒状に形成され、前記取付部６０をなす円筒部６６と、該円筒部６６の前側において前方に開口する半球状(ラッパ状)に形成され、前記把持部６１の後側部分をなす拡径部６７とを有し、円筒部６６および拡径部６７が一体的に形成された成形部材である。円筒部６６は、拡径部６７の内側へ延出した状態に形成され(図８参照)、該円筒部６６における拡径部６７の内側に突出する前部に設置壁部６８が形成されている。設置壁部６８には、円筒部６６の中心軸線に一致する円形開口６９や、開口７０が形成されている。そして、設置壁部６８の後側には、電気部品としての可変抵抗器(ボリュームスイッチ)８０が取り付けられると共に、該取付部６０の前側には、打球発射装置ＪをＯＮ・ＯＦＦ制御するスイッチユニット８５や、回転操作部材６４に遊技者の手が接触したことを感知するタッチセンサユニット９０が取り付けられている。更に、設置壁部６８の前側において、円形開口６９の右下方には、後述するねじりバネ１１５の第１アーム部１１７を固定する固定ピン７９が、前方へ水平に立設されている。
【００２６】
支持筒体６２における円筒部６６の後部開口６６Ａには、図５〜図８に示すように、該後部開口６６Ａの内縁形状に合致する外縁形状に形成された後壁部材７１が取り付けられている。円筒部６６の内部には、後方へ延在して後部開口６６Ａに臨む複数(実施例では３個)の取付ボス７２が、該円筒部６６に一体に形成されており、各取付ボス７２に締結されるネジで後壁部材７１が支持筒体６２に固定されるようになっている。後壁部材７１には、後方へ延出する係止爪部７３が形成されると共に、可変抵抗器８０、スイッチユニット８５およびタッチセンサユニット９０からの各配線ＷＨを保持する配線保持片７４や、該配線ＷＨを挿通させる配線挿通孔７５が形成されている。
【００２７】
また、円筒部６６の底部外側には金属製の固定部材７６が取り付けられており、該固定部材７６には、ハンドル取付部５０の円筒部６６に形成された前記ネジ挿通孔５３に整合するネジ孔７６Ａが形成されている。従って、ハンドル取付部５０にハンドルユニットＧをセットして、円筒部６６の外側からネジ挿通孔５３に挿通させたネジをネジ孔７６Ａに締結することで、該ハンドルユニットＧがハンドル取付部５０に安定的に固定されるよう構成されている。
【００２８】
(可変抵抗器)
前記可変抵抗器８０は、図６〜図８に示すように、抵抗器本体８１と、該抵抗器本体８１から外方へ延出した支軸８２とを備えている。可変抵抗器８０は、支軸８２が円形開口６９を介して設置壁部６８の前方へ延出した状態で該設置壁部６８の後側に取り付けられ、該支軸８２は円筒部６６の中心軸線に一致している。この支軸８２は、先端部がＤカット加工が施されており、回転操作部材６４が固定されると共に、該支軸８２に対する該回転操作部材６４の空回りを防止するようになっている。従って可変抵抗器８０は、支軸８２を中心として回転操作部材６４を回転させることで該支軸８２が抵抗器本体８１に対して回転して抵抗値が変化し、抵抗値の変化に応じた信号を発射制御装置に出力する。これにより発射制御装置は、前記打球発射装置Ｊのロータリーソレノイド３２に供給される電流を変化させ、打球杆３０によるパチンコ球の打出し力が強弱調節される。
【００２９】
(スイッチユニット)
前記スイッチユニット８５は、前記打球発射装置Ｊのロータリーソレノイド３２をＯＮ・ＯＦＦ制御するもので、図６〜図８に示すように、押しボタン８６Ａを備えたプッシュＯＦＦタイプのスイッチ本体８６と、設置壁部６８に左右方向へ揺動可能に配設され、押しボタン８６Ａをプッシュ可能なレバー部材８７とを備えている。スイッチ本体８６は、設置壁部６８における円形開口６９の左側に、押しボタン８６Ａを左側に指向させた姿勢で取り付けられている。レバー部材８７は、スイッチ本体８６の左側に垂下した姿勢で配設され、スイッチ本体８６の上方において設置壁部６８の前面から前方へ延出した支持ピン７７に上端部が枢支されており、下端側が左右方向へ揺動する。そしてレバー部材８７は、押しボタン８６Ａを左側から押圧する当接部８７Ａと、拡径部６７における左下方に形成された切欠き部６７Ａから該把持部６１の外方へ突出する突出部８７Ｂとを備えている。このようなスイッチユニット８５は、レバー部材８７が支持ピン７７を中心として左方へ揺動すると、当接部８７Ａによる押しボタン８６Ａの押付けが解除されてＯＮ状態となり、該レバー部材８７が支持ピン７７を中心として右方へ揺動すると、当接部８７Ａが押しボタン８６Ａを押すことでＯＦＦ状態となる。なお、設置壁部６８の前側には、スイッチ本体８６を前側から保持する保持部材８８が取り付けられている。
【００３０】
(タッチセンサユニット)
タッチセンサユニット９０は、表面がメッキ処理された前記回転操作部材６４に遊技者の手が接触したことを感知するもので、図６、図７および図９に示すように、設置壁部６８における円形開口６９の右側に取り付けられている。タッチセンサユニット９０は、導電性を有する金属製のコイルバネ９２を介して、該回転操作部材６４と通電可能な状態で連結されている。すなわちコイルバネ９２は、前記可変抵抗器８０の支軸８２をコイル部９３の内側に挿通させた状態で、設置壁部６８の前側と回転操作部材６４の後側との間に配設されており、コイル部９３の前端部９３Ａが回転操作部材６４の後面に常に接触すると共に、該コイル部９３の後端部から延出したアーム部９４がタッチセンサユニット９０の端子９１に接続されている。従って、タッチセンサユニット９０は、遊技者の手(指先)が回転操作部材６４に接触した際に、該回転操作部材６４およびコイルバネ９２を介して流れる微細な電気を感知し、これによる感知信号を前記発射制御装置へ出力する。なおコイルバネ９２は、コイル部９３が軸線方向へ適宜圧縮変形した状態で配設されて前端部９３Ａが回転操作部材６４の後面に常に押し付けられた状態となっており、回転操作部材６４が回転しても該回転操作部材６４とコイル部９３の前端部９３Ａとの接触状態が維持される。
【００３１】
(キャップ体)
前記キャップ体６３は、図４、図６〜図８に示すように、前記支持筒体６２の前側に取り付けられる固定部材９５と、この固定部材９５の前側に取り付けられるカバー部材９６とを備えている。固定部材９５は、前部が前方へ膨出すると共に後部が前方へ凹んだキャップ状に形成され、その前面には、複雑な凹凸模様に形成されると共にメッキ処理が施された反射面９５Ａが形成されている。また固定部材９５の後側には、複数(実施例では３個)の締結ボス９７が、後方へ延出した状態で形成されている。各締結ボス９７は、支持筒体６２に前方へ延出するよう形成された前記各固定ボス７８に前側から対向する位置に形成されており、該締結ボス９７の後端にはネジ締結孔９７Ａが形成されている。従って、支持筒体６２の把持部６１の後側から、固定ボス７８に形成されたネジ孔７８Ａに挿通したネジ(図示せず)を対応の締結ボス９７へ締結することで、固定部材９５は、支持筒体６２の前側に、前記回転操作部材６４を配設するための隙間Ｓを画成した状態で固定されている。
【００３２】
前記カバー部材９６は、透明樹脂製の成形部材であり、前部が前方へ膨出すると共に後部が前方へ凹んだ半球状に形成されている。カバー部材９６は、前面は滑らかな球面状に形成されて遊技者の手のひらが接触した際の触感向上が図られていると共に、後面は凹凸模様に形成されており、固定部材９５の前側に対してネジ(図示せず)により固定されている。そしてカバー部材９６は、固定部材９５の前面を透視可能に構成されており、外部光が反射面９５Ａで反射することを許容する。
【００３３】
(回転操作部材)
前記回転操作部材６４は、図４、図６〜図８に示すように、円板状に形成された支持板部１００と、この支持板部１００に一体的に形成され、該支持板部１００の外側に円形に形成されたリング部１０１と、リング部１０１に径方向外方へ膨出形成された複数(実施例では３個)の指掛け部１０２とを備えている。そして回転操作部材６４は、表面全体がメッキ処理されていることで、電気の導通が可能に構成されると共に、耐摩耗性の向上、外観的な美観および質感の向上が図られている。
【００３４】
(支持板部)
支持板部１００の中心部後側には、図７および図８に示すように、後方へ突出するボス部１０３が形成され、このボス部１０３には、支持板部１００の中心部を前側に貫通する軸挿通孔１０４が形成されている。この軸挿通孔１０４は、前記可変抵抗器８０の支軸８２が挿通して係合するようになっており、支軸８２の断面形状と同じＤ形に形成されている。これにより、支軸８２を軸挿通孔１０４に挿通させることで該支軸８２に固定された回転操作部材６４は、該支軸８２に対して周方向へ空回りすることが防止される構造となっている。従って、回転操作部材６４を周方向へ回転させると、支軸８２が追従回転することで、可変抵抗器８０の抵抗値を変化させることが可能となっている。そして回転操作部材６４は、停止位置(図４、図９参照)と、該停止位置から右方へ回転変位した最大回転位置(図１０、図１１参照)との間で回転可能となっている。なお、実施例のハンドルユニットＧでは、停止位置から右方向へ約１２０度回転させた位置が最大回転位置となっており、停止位置からの回転角度に比例して打球発射装置Ｊにおける打球杆３０の打出し力が増加するようになっている。但し、回転操作部材６４の停止位置から最大回転位置までの回転角度は１２０度に限定されるものではない。
【００３５】
また支持板部１００には、図４、図６および図７に示すように、前記各締結ボス９７の挿通を許容する第１開口部１０５および第２開口部１０６と、前述した固定ピン７９の挿通を許容する第３開口部１０７が形成されている。第１開口部１０５は、固定部材９５における下側に形成された２つの固定ボス７８,７８が挿通されるようになっており、回転操作部材６４の停止位置から最大回転位置までの回転が許容されるよう円弧状に延在形成されている。第２開口部１０６は、固定部材９５における上側に形成された１つの固定ボス７８が挿通されるようになっており、回転操作部材６４の停止位置から最大回転位置までの回転が許容されるよう円弧状に延在形成されている。第３開口部１０７は、挿通された固定ピン７９と干渉することなく回転操作部材６４が停止位置から最大回転位置まで回転し得るように円弧状に延在形成されている。
【００３６】
(リング部)
リング部１０１は、図５および図８に示すように、支持筒体６２における拡径部６７の前端外径およびキャップ体６３におけるカバー部材９６の後端外径より僅かに大きい内径寸法の円形に形成されている。またリング部１０１は、拡径部６７とカバー部材９６との間に形成された隙間Ｓの前後幅より僅かに大きい前後幅に形成されており、該拡径部６７の前部およびカバー部材９６の後部と径方向において重なっている。従ってリング部１０１は、回転操作部材６４が回転軸心である支軸８２を中心として径方向へ回転する際に、常に隙間Ｓを被覆した状態に保持するようになっている。また、リング部１０１の内側には、図７に示すように、前記スイッチユニット８５におけるレバー部材８７の突出部８７Ｂに当接する当接片１０８が形成されている。この当接片１０８は、回転操作部材６４が停止位置に停止した状態において、レバー部材８７の突出部８７Ｂに当接して該レバー部材８７を右方へ押す位置に形成されている。従って、パチンコ遊技が行なわれない回転操作部材６４の停止位置では、当接片１０８により押されたレバー部材８７が押しボタン８６Ａを押すことでスイッチ本体８６がＯＦＦ状態となって打球発射装置Ｊのロータリーソレノイド３２が停止する。また、パチンコ遊技を行なうために回転操作部材６４を右方向へ回転させると、当接片１０８が突出部８７Ｂから離間してレバー部材８７に対する押付けが解除されるため、該レバー部材８７による押しボタン８６Ａの押付けも解除され、スイッチ本体８６がＯＮ状態となって打球発射装置Ｊのロータリーソレノイド３２が作動する。
【００３７】
(指掛部)
各指掛け部１０２は、図４および図５に示すように、リング部１０１の外周面において周方向へ所要間隔をおいて形成されている。各指掛け部１０２は、リング部１０１の外周面から径方向外方にいくにつれて先細となる形状に形成されると共に、正面左側面がリング部１０１の外周面から急勾配に立ち上がるように形成されており、指を左側から当てた状態で回転操作部材６４を右方向へ回転させ易く構成されている。また、各指掛け部１０２は、リング部１０１の前端より前方へ突出しており、指の側面との接触面積が大きくなるように考慮されている。
【００３８】
(支持部)
前記回転操作部材６４における支持板部１００の前側には、図４および図７に示すように、回転操作部材６４の中心部から回転軸線方向である前方へ延出した支持部１１０が立設されている。この支持部１１０は、支持板部１００に一体的に形成されており、回転操作部材６４の回転中心に位置する前記軸挿通孔１０４を囲む円筒状をなしている。そして支持部１１０は、回転操作部材６４が停止位置に停止した状態においては、後述するねじりバネ１１５のコイル部１１６の通常時(非変形時)の内径より小径に形成されており、該コイル部１１６と支持部１１０の外周面との間に隙間が画成されるようになっている。
【００３９】
(ねじりバネ)
回転操作部材６４における支持板部１００の前側には、該回転操作部材６４を最大回転位置から停止位置側に向けて回転させるよう付勢するねじりバネ１１５が配設されている。前記ねじりバネ１１５は、バネ鋼線材をコイル状に複数回(実施例では６回)巻回して形成されたコイル部１１６と、コイル部１１６の軸方向において前端に位置する円形の第１円形端部(一方の円形端部)１１６Ａから延出した第１アーム部１１７と、コイル部１１６の軸方向において後端に位置する円形の第２円形端部(他方の円形端部)１１６Ｂから延出した第２アーム部１１８とで構成されている。そしてねじりバネ１１５は、回転操作部材６４が停止位置から最大回転位置までスムーズに回転して適切な操作感が得られるようにするため、バネ鋼線材の直径、コイル部１１６の巻径および巻数等が設定されている。
【００４０】
前記第１アーム部１１７は、コイル部１１６の第１円形端部１１６Ａから該コイル部１１６の径方向外方へ折り曲げて斜めに延出するように形成され、第２アーム部１１８は、コイル部１１６の第２円形端部１１６Ｂから該コイル部１１６の径方向内方へ折り曲げて形成されている。そして、ねじりバネ１１５は、回転操作部材６４の支持板部１００の前側に突設した支持部１１０,１１０がコイル部１１６に遊嵌状態で挿通し、第１アーム部１１７が前記固定ピン７９の前端にネジで固定されると共に、第２アーム部１１８が支持部１１０,１１０間に掛止された状態で、回転操作部材６４の前側に取り付けられている。なお、ねじりバネ１１５は、図９および図１２(ａ)に示す状態よりも第２円形端部１１６Ｂ側が反時計方向(左方向)へ回転した位置が無負荷状態であり、該第２円形端部１１６Ｂ側を時計方向(右方向)へ適宜回転させると、第２アーム部１１８が各支持部１１０,１１０の端部１１０Ａに掛止可能となっている。従って、ねじりバネ１１５は、回転操作部材６４の停止位置において該回転操作部材６４を左方向(最大回転位置側の反対側)へ回転させるように弾力的に付勢しており、回転操作部材６４が停止位置に弾力的に保持される。また、ねじりバネ１１５は、回転操作部材６４を停止位置から最大回転位置側へ回転させると、コイル部１１６が周方向へねじれるように弾性変形し、該回転操作部材６４の回転変位が大きくなるにつれて復帰弾力も大きくなるようになっている。
【００４１】
実施例のねじりバネ１１５は、図９および図１２(ａ)に示すように、回転操作部材６４が停止位置に停止した状態において、第１円形端部１１６Ａと第１アーム部１１７との折曲部および第２円形端部１１６Ｂと第２アーム部１１８との折曲部が、支軸８２に対しては略同じ下方に位置している。このため、ねじりバネ１１５は、コイル部１１６が僅かに弾性変形していても、該コイル部１１６が第１円形端部１１６Ａ側と第２円形端部１１６Ｂとが径方向へ殆どずれていない。そして、図１２(ａ)に示すように、回転操作部材６４が停止位置におけるコイル部１１６の内径ｄ２が、支持部１１０の外径ｄ１より大きくなっており、該コイル部１１６の内縁と支持部１１０の外周面との間には隙間が形成されている。
【００４２】
前記ねじりバネ１１５は、回転操作部材６４の停止位置から最大回転位置に向けた回転操作に伴い、固定ピン７９に固定された第１アーム部１１７側に対して該回転操作部材６４に立設された支持部１１０,１１０に掛止された第２アーム部１１８側がコイル部１１６の周方向へ回転する。そして、ねじりバネ１１５は、図１０、図１１および図１２(ｂ)に示すように、回転操作部材６４が最大回転位置まで回転した状態で、第１円形端部１１６Ａと第２円形端部１１６Ｂとがコイル部１１６の軸方向(支持部１１０の挿通方向)と交差する方向において反対側へずれるように変形する。
【００４３】
具体的に、実施例のハンドルユニットＧでは、図１０および図１２(ｂ)に示すように、回転操作部材６４を停止位置から最大回転位置まで回転させた際に、第１円形端部１１６Ａと第１アーム部１１７との折曲部は支持部１１０の右下に保持されていると共に、第２円形端部１１６Ｂと第２アーム部１１８との折曲部は該支持部１１０の略真下から左上まで移動するようになり、これに伴ってコイル部１１６は全体が縮径的に変形する。しかも、コイル部１１６の第１円形端部１１６Ａは、該第１円形端部１１６Ａにおける支持部１１０を挟んで第１アーム部１１７と反対側の部分が、該コイル部１１６の径方向において第１アーム部１１７側である右下方へ移動しながら縮径的に変形する一方、該コイル部１１６の第２円形端部１１６Ｂは、該第２円形端部１１６Ｂにおける支持部１１０を挟んで第２アーム部１１８との折曲部と反対側の部分が、該コイル部１１６の径方向において第２アーム部１１８側である左上方へ移動しながら縮径的に変形するようになる(図１２(ｂ)で１点鎖線で示す軸線Ｌ方向)。従って、ねじりバネ１１５のコイル部１１６は、コイル部１１６の軸心方向と交差する図１２(ｂ)に示す軸線Ｌの方向において、第１円形端部１１６Ａ側が右下方へ引っ張られると共に、第２円形端部１１６Ｂ側が左上方へ引っ張られるため、第２円形端部１１６Ｂに対して第１円形端部１１６Ａ側が右下方へ変位すると共に、両第１円形端部１１６Ａと第２円形端部１１６Ｂとの間の各円形リング部分は第１円形端部１１６Ａから第２円形端部１１６Ｂに向けて徐々に左上へ階段状にずれて、該コイル部１１６は全体が傾斜状に変形するようになる。そして、弾性変形したコイル部１１６は、図１２(ｂ)に示すように正面から見ると、第１円形端部１１６Ａの左上内縁と第２円形端部１１６Ｂの右下内縁との間の軸線Ｌ方向での内縁間隔ｄ３が、支持部１１０の外径ｄ１より小さくなる。
【００４４】
(接触回避部)
実施例のハンドルユニットＧでは、図１０〜図１２に示すように、前記支持部１１０に、回転操作部材６４の停止位置から最大回転位置に向けた回転操作時に弾性変形するコイル部１１６との接触を回避する２つの接触回避部１２０,１２１が設けられている。一方の接触回避部(第１接触回避部１２０)は、回転操作部材６４の回転操作に伴って支軸８２を中心に回転する支持部１１０において、コイル部１１６の第１円形端部１１６Ａにおける支持部１１０を挟んで第１アーム部１１７と反対側の部分が、該第１アーム部１１７の折曲部側に近づくように変位する際のずれ領域と重なる部分に設けられる。また、他方の接触回避部(第２接触回避部１２１)は、回転する該支持部１１０において、コイル部１１６の第２円形端部１１６Ｂにおける支持部１１０を挟んで第２アーム部１１８との折曲部と反対側の部分が、該第２アーム部１１８の折曲部側に近づくように変位する際のずれ領域と重なる部分に設けられている。すなわち、第１接触回避部１２０および第２接触回避部１２１は、支持部１１０の周方向において、回転中心を挟んで対向する位置に設けられている。従って、実施例のハンドルユニットＧでは、図１２(ｂ)に示すように、回転操作部材６４を最大回転位置まで回転させても、縮径的に弾性変形したねじりバネ１１５のコイル部１１６と支持部１１０との接触が回避されるよう構成されており、該回転操作部材６４がスムーズに回転するようになっている。
【００４５】
なお実施例では、図１１に示すように、第１接触回避部１２０および第２接触回避部１２１が、支持部１１０における突出先端から支持板部１００の前面(支持部１１０の基部)まで切り欠いて形成されている。
【００４６】
また、図１０に示すように、回転操作部材６４の支持板部１００の前面には、コイル部１１６に外側から隣接する部位に、該回転操作部材６４の停止位置において、該コイル部１１６の第１アーム部１１７に当接する第１当接部(当接部)１２３が設けられている。更に、前記固定ピン７９の先端には、ねじりバネ１１５のコイル部１１６および第１アーム部１１７に当接する第２当接部１２４が設けられている。この第２当接部１２４は、第１当接部１２３に対して第１アーム部１１７を挟んで反対側に位置しており、回転操作部材６４の停止位置においては、該第１当接部１２３とで該第１アーム部１１７を挟持するようになっている。これにより、回転操作部材６４の非回転操作時において、該回転操作部材６４が停止位置に停止している際には、第２当接部１２４が第１アーム部１１７に当接すると共に第１当接部１２３も該第１アーム部１１７に当接することで、コイル部１１６が安定的に保持されると共に、支持部１１０,１１０に対するコイル部１１６の位置決めが図られる。
【００４７】
〔実施例の作用〕
次に、実施例に係るパチンコ機Ｐの作用について説明する。
【００４８】
実施例のハンドルユニットＧは、図８に示すように、可変抵抗器８０が、支持筒体６２における設置壁部６８の後側に、円形開口６９から支軸８２を前方へ延出させた状態で取り付けられる。スイッチユニット８５におけるスイッチ本体８６とレバー部材８７、タッチセンサユニット９０および保持部材８８は、支持筒体６２における設置壁部６８の前側に取り付けられる。可変抵抗器８０、スイッチ本体８６およびタッチセンサユニット９０から延出した各配線ＷＨは、円筒部６６内を通して後部開口から外方へ引き出し、後壁部材７１の配線保持片７４に掛止すると共に開口７０に挿通させる。
【００４９】
またコイルバネ９２は、他端部をタッチセンサユニット９０に接続したもとで、設置壁部６８の前側に取り付けられる。回転操作部材６４は、コイルバネ９２の一端部に接触した状態で可変抵抗器８０の支軸８２に取り付けられる。そしてねじりバネ１１５が、支持部１１０に第２アーム部１１８を係止させると共に前記支持部１１０にコイル部１１６をセットした状態で、回転操作部材６４における支持板部１００の前側にセットされ、支持板部１００の第３開口部１０７を介して前方へ延出した固定ピン７９に第１アーム部１１７がネジで固定される。また、キャップ体６３は、固定部材９５にカバー部材９６を取り付け、支持筒体６２の固定ボス７８に整合させた各締結ボス９７に拡径部６７の後側からネジを締結することで、該支持筒体６２の前側に取り付けられる。
【００５０】
組み立てられたハンドルユニットＧは、取付部６０の後部をハンドル取付部５０の円筒部６６に前側から嵌挿して、係止爪部７３が係止孔５４に前側から突入係止されることで、該ハンドル取付部５０から脱落不能に取り付けられると共に、ネジをネジ孔７６Ａに締結することで、該ハンドル取付部５０に対してがたつくことなく固定される。なお、取付部６０の後側をハンドル取付部５０の外筒部５１に前側から嵌挿する際に、該取付部６０の後側へ引き出されている配線ＷＨを、ハンドル取付部５０に形成された開口を介して前枠Ｃの後側へ挿通させる。
【００５１】
実施例のハンドルユニットＧは、当該パチンコ機Ｐにおいてパチンコ遊技を行なう際に、遊技者が該ハンドルユニットＧの把持部６１を把持すると共に、回転操作部材６４を停止位置から右方向へ回転させることで、上球皿Ｆの球貯留部４６に貯留されているパチンコ球が打球発射装置Ｊの作動により遊技盤Ｄの遊技領域２０へ打ち出される。すなわち、遊技者の手(指)が回転操作部材６４の指掛け部１０２またはリング部１０１に接触することでタッチセンサユニット９０がこれを感知し、該タッチセンサユニット９０からの感知信号が発射制御装置へ出力される。また、回転操作部材６４を右方向へ回転させることで、スイッチユニット８５がＯＮ状態となってスイッチ本体８６からのＯＮ信号が発射制御装置へ出力されると共に、可変抵抗器８０の支軸８２が回転することで抵抗値が変化して該可変抵抗器８０からの信号が発射制御装置へ出力される。従って、ハンドルユニットＧからの各信号が発射制御装置に出力されることで、該発射制御装置は、打球発射装置Ｊのロータリーソレノイド３２を作動制御して、該ロータリーソレノイド３２の作動により往復回転する打球杆３０がパチンコ球を打ち出す。そして、回転操作部材６４の右方向への回転量の増加させる従い、打球発射装置Ｊの打球杆３０よるパチンコ球の打出し力が増加するようになり、該回転操作部材６４の回転量を調整することで遊技領域２０へのパチンコ球の打出し力を調整することができる。
【００５２】
そして、回転操作部材６４を停止位置から最大回転位置に向けて右方向へ回転させるに従い、図１０および図１１に示すように、ねじりバネ１１５においては、支持筒体６２側に固定された第１アーム部１１７に対して回転操作部材６４側に係止された第２アーム部１１８がコイル部１１６の周方向へ回転するので、第１円形端部１１６Ａと第２円形端部１１６Ｂとがコイル部１１６の軸方向(支持部１１０の挿通方向)と交差する径方向において互いに反対側へずれるように変形する。ここで支持部１１０には、第１円形端部１１６Ａが径方向へ移動する際のずれ領域と重なる部分に第１接触回避部１２０が設けられているから、回転操作部材６４の回転に従ってコイル部１１６が縮径的に変形しても、第１円形端部１１６Ａと支持部１１０との接触が回避される。同様に、第２円形端部１１６Ｂが径方向へ移動する際のずれ領域と重なる部分に第２接触回避部１２１が設けられているから、回転操作部材６４の回転に従ってコイル部１１６が縮径的に変形しても、第２円形端部１１６Ｂと支持部１１０との接触が回避される。
【００５３】
従って、実施例のハンドルユニットＧは、ねじりバネ１１５のコイル部１１６に挿通した支持部１１０に第１接触回避部１２０および第２接触回避部１２１を設けたことにより、コイル部１１６の巻径を大きくすることなく該コイル部１１６と支持部１１０との接触を回避することができる。特に、配設スペースとの関係で、支持部１１０の外径に対してコイル部１１６の巻径を大きくできない場合に有効である。そして、パチンコ球の発射操作を行なうに際して回転操作部材６４を最大回転位置まで回転させても、ねじりバネ１１５のコイル部１１６と支持部１１０とは接触しないから、該回転操作部材６４が常にスムーズに回転するようになって操作性を向上させることができる。すなわち、回転操作部材６４を停止位置から最大回転位置側へ回転させる際にコイル部１１６の弾性変形が規制されないから、回転操作部材６４の回転変位が途中で渋くなってスムーズな操作感が損なわれることがなく、該回転操作部材６４が最大回転位置まで回転不能となることもない。また、回転操作部材６４が最大回転位置側から停止位置へ戻る際には、コイル部１１６が支持部１１０に接触することで発生する摩擦により該コイル部１１６の弾性復帰が規制されることもないから、該回転操作部材６４は停止位置までへスムーズかつ適切に回転する。
【００５４】
そして、ねじりバネ１１５の第２アーム部１１８は、コイル部１１６の第２円形端部１１６Ｂから径方向内方へ折曲げて形成されているから、第２アーム部１１８が、回転操作部材６４の回転に際して該支持部１１０に適切に掛止されて該支持部１１０から外れることが防止される。また、回転操作部材６４の停止位置においては、ねじりバネ１１５の第１アーム部１１７に第１当接部１２３および第２当接部１２４が当接するから、支持部１１０,１１０に対するコイル部１１６の位置決めが図られ、該コイル部１１６の内側と支持部１１０の外周面との間の間隔を一定に保つことが可能である。また、回転操作部材６４が停止位置に保持されている際には、ねじりバネ１１５ががたつくことも防止し得る。
【００５５】
〔変更例〕
なお、本発明に係る遊技機の構成としては、前述した実施例に示したものに限らず、種々の変更が可能である。以下にその一例を示す。
（１）実施例では、ハンドルユニットＧを前枠(球皿部材)Ｃに固定する構成としたが、ハンドルユニットＧを固定する遊技機本体としては、例えば中枠Ｂに固定してもよい。また実施例では、上球皿Ｅおよび下球皿Ｆを有する所謂２枚皿タイプのパチンコ機を例示したが、球皿を１つ有する所謂一枚皿のパチンコ機のハンドルユニットにも応用可能である。
（２）第１接触回避部１２０および第２接触回避部１２１が、支持部１１０における突出先端から支持板部１００の前面(支持部１１０の基部)まで切り欠いて形成したものを例示したが、第１接触回避部１２０は、コイル部１１６の第１円形端部１１６Ａが接触する部分(支持部１１０の突出先端側)だけに設け、第２接触回避部１２１は、該コイル部１１６の第２円形端部１１６Ｂが接触する部分(支持部１１０の基部側)だけに設けるようにしてもよい。
（３）第１接触回避部１２０および第２接触回避部１２１は、支持部１１０の外周面から凹んだ凹状として形成するようにしてもよい。
（４）ねじりバネ１１５の第１アーム部１１７は、図１３に示すように、コイル部１１６の第１円形端部１１６Ａから該コイル部１１６の接線方向へ延出するように形成してもよい。このように第１アーム部１１７を形成した場合には、回転操作部材６４の回転によりコイル部１１６が弾性変形するに際して、第１円形端部１１６Ａ側が該コイル部１１６の接線方向へ引っ張られるようにすることができる。
（５）ねじりバネ１１５の取付け態様は、実施例で例示したものに限らず、例えば第１円形端部１１６Ａに対して第１アーム部１１７が設けられた位置および第２円形端部１１６Ｂに対して第２アーム部１１８が設けられた位置が、回転操作部材６４の停止位置においては支軸８２を挟んで対向する反対側となるようにすると共に、回動操作部材６４の最大回転位置において支軸８２に対して同じ側となる関係で取り付けるようにしてもよい。
（６）ねじりバネは、固定ピン７９に固定される第１アーム部１１７を第２円形端部１１６Ｂに設けると共に、支持部１１０,１１０に掛止される第２アーム部１１８を第１円形端部１１６Ａに設けた形態であってもよい。
（７）実施例では、回転操作部材６４の停止位置から最大回転位置に向けた回転操作時に弾性変形するコイル部１１６における第１円形端部１１６Ａおよび第２円形端部１１６Ｂの両方のずれ領域が支持部１１０と重なることを前提として、支持部１１０の周方向において支軸８２を挟んで対向する位置に、２つの接触回避部(第１接触回避部１２０および第２接触回避部１２１)を設けた形態を例示したが、該接触回避部の配設数は２つに限定されるものではなく、コイル部１１６のずれ領域と重なる部分の数に応じて配設数が決められる。例えば、回転操作部材６４の停止位置から最大回転位置に向けた回転操作時(図１０)において、コイル部１１６の第１円形端部１１６Ａにおける支持部１１０を挟んで第１アーム部１１７と反対側の部分だけが該支持部１１０に接触する場合(第２円形端部１１６Ｂは支持部１１０に接触しない)には、該第１円形端部１１６Ａに対応した前記第１接触回避部１２０を１つだけ設ければよい。また、回転操作部材６４の停止位置から最大回転位置に向けた回転操作時において、コイル部１１６の第２円形端部１１６Ｂにおける支持部１１０を挟んで第２アーム部１１８との折曲部と反対側の部分だけが該支持部１１０に接触する場合(第１円形端部１１６Ａは支持部１１０に接触しない)には、該第２円形端部１１６Ｂに対応した前記第２接触回避部１２１を１つだけ設ければよい。
（８）支持部１１０は、円筒形状に限らず、多角形状や楕円形状であってもよい。
【符号の説明】
【００５６】
６２ 支持筒体(本体部)，６４ 回転操作部材(操作部)，１１０ 支持部，
１１５ ねじりバネ，１１６ コイル部，１１６Ａ 第１円形端部(一方の円形端部)，
１１６Ｂ 第２円形端部(他方の円形端部)，１１７ 第１アーム部，
１１８ 第２アーム部，１２０ 第１接触回避部(接触回避部)，
１２１ 第２接触回避部(接触回避部)，１２３ 第１当接部(当接部)，
Ｇ ハンドルユニット
【図１】
0005812427.tif 000002
【図２】
0005812427.tif 000003
【図３】
0005812427.tif 000004
【図４】
0005812427.tif 000005
【図５】
0005812427.tif 000006
【図６】
0005812427.tif 000007
【図７】
0005812427.tif 000008
【図８】
0005812427.tif 000009
【図９】
0005812427.tif 000010
【図１０】
0005812427.tif 000011
【図１１】
0005812427.tif 000012
【図１２】
0005812427.tif 000013
【図１３】
0005812427.tif 000014